(57)【特許請求の範囲】
【請求項１】
同期光ネットワーク又は同期ディジタルハイアラーキネットワークでデュアルワーキングモードを設定する方法であって：
前記同期光ネットワーク又は同期ディジタルハイアラーキネットワークにて非デュアルワーキングの動作モードを設定する設定コマンドを生成するステップ；
生成したコマンドを修正し、デュアルワーキングモードが設定されていることを第１のネットワーク要素に示すステップ；及び
設定する修正されたコマンドを、前記同期光ネットワーク又は同期ディジタルハイアラーキネットワークに送信するステップ；
を有することを特徴とする方法。 
【請求項２】
前記デュアルワーキングモードでは、同期光ネットワーク又は同期ディジタルハイアラーキネットワークの複数経路の各々で異なるデータを前記第１のネットワーク要素と通信する
ことを特徴とする請求項１記載の方法。
【請求項３】
同期光ネットワーク又は同期ディジタルハイアラーキネットワークでデュアルワーキングモードを設定するシステムであって：
前記同期光ネットワーク又は同期ディジタルハイアラーキネットワークにて非デュアルワーキングの動作モードを設定する設定コマンドを生成する手段；
生成したコマンドを修正し、デュアルワーキングモードが設定されていることを第１のネットワーク要素に示す手段；及び
設定する修正されたコマンドを、前記同期光ネットワーク又は同期ディジタルハイアラーキネットワークに送信する手段；
を有することを特徴とするシステム。
【請求項４】
前記デュアルワーキングモードでは、同期光ネットワーク又は同期ディジタルハイアラーキネットワークの複数経路の各々で異なるデータを前記第１のネットワーク要素と通信する
ことを特徴とする請求項３記載のシステム。
【請求項５】
前記異なるデータは、仮想連結を利用して第２のネットワーク要素で生成される
ことを特徴とする請求項４記載のシステム。
【発明の詳細な説明】
【技術分野】
【０００１】
本発明は、ソネット（ＳＯＮＥＴ）又はＳＤＨネットワークにおけるデュアルワーキングモードを提供することに関する。
【背景技術】
【０００２】
ソネットネットワークでデュアルワーキングモードサービスを提供するには、ワーキング及び保護（プロテクション）経路で異なる情報を設定する必要がある。通常のソネットが用意するモデルは、それをサポートしない。
【発明の開示】
【発明が解決しようとする課題】
【０００３】
ソネットネットワークでデュアルワーキングモードサービスを提供する機能を有し、既存のソネットが提供するシステムと互換性を維持する技術が必要とされている。
【課題を解決するための手段】
【０００４】
本発明は、ソネットネットワークでデュアルワーキングモードサービスを提供する機能を有し、既存のソネットが提供するシステムと互換性を維持する。本発明は、デュアルワーキングに必要な経路を提供するために、ソネットネットワークの現在のＵＰＳＲ供給を過剰にする（「オーバーロード」する。）ＯＳＭＩＮＥ（Ｔｌ１ベース管理）プロセスの下でこれを行うことは重要なので、これも考察される必要がある。
【０００５】
ＯＳＭＩＮＥに対して、デュアルワーキングモードは、非常にＵＰＳＲに類似し、「エンドポイント」のＮＥを除いて全くそのように取り扱うことができる。これらは、イーサーネットインターフェースのホストを務めるＮＥである。これらのＮＥは、ワーキング及びプロテクティング経路で異なる情報を送信する必要があり、反対向きに同じものを受信することを知っている。キーワードを変更することは、ＯＳＭＩＮＥにおける最も簡易な手法である。そのため、イーポート（ＥＰＯＲＴ）コマンドにて新たなキーワードが付加される。このキーワードは、デュアルとして指定される場合に、イーサーネットインターフェースに、回線インターフェース双方の間で分かれた仮想連結イーサーネットストリームを送信することを通知する。相互接続装備も必要とされる場合には（４０２０以外の総ての４０００ＮＥ）、相互接続は、それらがあたかもＵＰＳＲであるように用意される。しかしながら、システムは、その相互接続が実際にはデュアルワーキングであることを、ＥＰＯＲＴでの先行するキーワード入力により知っており、経路セレクタを迂回し、ワーキング及びプロテクティングトラフィック双方をイーサーネットサービスに送ることを知っている。
【０００６】
本発明の一態様によれば、同期光ネットワーク又は同期ディジタルハイアラーキネットワークでデュアルワーキングモードを設定する方法は、前記同期光ネットワーク又は同期ディジタルハイアラーキネットワークにて非デュアルワーキングの動作モードを設定する設定コマンドを生成ステップ、生成したコマンドを修正し、デュアルワーキングモードが設定されていることを第１のネットワーク要素に示すステップ、及び設定する修正されたコマンドを、前記同期光ネットワーク又は同期ディジタルハイアラーキネットワークに送信するステップを有する。
【０００７】
本発明の一態様では、前記デュアルワーキングモードでは、同期光ネットワーク又は同期ディジタルハイアラーキネットワークの複数経路の各々で異なるデータを前記第１のネットワーク要素と通信する。前記異なるデータは、仮想連結を利用して第２のネットワーク要素で生成されてもよい。前記異なるデータは、前記第２のネットワーク要素に接続されたローカルエリアネットワークで通信されるデータストリームから生成されてもよい。前記異なるデータは、仮想連結を用いて前記第１のネットワーク要素で再編成されてもよい。再編成された異なるデータは、前記第１のネットワーク要素に接続されたローカルエリアネットワークで通信されてもよい。
【０００８】
本発明の一態様によれば、前記第１のネットワーク要素が、第１のローカルエリアネットワークサービスユニット及び第１の複数の論理ユニットより成り、前記第２のネットワーク要素が、第２のローカルエリアネットワークサービスユニット及び第２の複数の論理ユニットより成り、前記第２のローカルエリアネットワークサービスユニットが第２のローカルエリアネットワークと通信し、前記異なるデータが前記第２のローカルエリアネットワークで通信されるデータストリームから生成され、及び前記第２の複数の論理ユニットの各々が、異なるデータを、同期光ネットワーク又は同期ディジタルハイアラーキネットワークの異なる経路上で、前記第１の複数の論理ユニットの異なるものと通信する。前記異なるデータは、仮想連結を用いて前記第２のネットワーク要素で生成されてもよい。前記第１のローカルエリアネットワークサービスユニットは、第１のローカルエリアネットワークと通信してもよい。前記異なるデータは、仮想連結を用いて前記第１のネットワーク要素で再編成されてもよい。再編成された異なるデータは、前記第１のローカルエリアネットワークで通信されてもよい。
【発明を実施するための最良の形態】
【０００９】
構造及び動作の双方に関する本発明の詳細は、添付図面を参照することで最良に理解することができ、図では同様な参照番号及び名称は同様な要素を示す。
【００１０】
デュアルワーキングモードは、ソネットネットワークの動作モードであり、そのモードでは、ＯＣｎ側インターフェースの各々が、データサービス側インターフェースにより独立に使用される。デュアルワーキングモードは、サービスユニットバックプレーン帯域及びソネットリング帯域を効果的に倍化する。例えば、デュアルワーキングモードは、仮想連結（ＶＣＡＴ）と共に使用される場合に、ＯＣ１２で完全なギガビット毎秒（Ｇｂｐｓ）のレートを可能にし、ＶＣＡＴと共に使用される場合のＯＣ３で１００メガビット毎秒（Ｍｂｐｓ）のレートの３倍を可能にする。
【００１１】
図１には、デュアルワーキングモードで動作するソネットネットワーク１００の例が示されている。例示のネットワーク１００は、ローカルエリアネットワークサービスユニット（ＬＡＮＳＵ）１０２Ａ−Ｂと、回線ユニット（ＬＵ）１０４Ａ−Ｄと、ソネットリング１０６とを含み、ソネットリングはワーキング経路１０８及びプロテクティング経路１１０を含む。ＬＡＮＳＵ１０２Ａ−Ｂは、ＬＡＮＳＵ１０２Ａ−Ｂに接続された他のネットワーク１１２Ａ−Ｂと、ソネットネットワーク１００のワーキング１０８及びプロテクティング１１０の経路との間のインターフェースを提供する。例えば、ＬＡＮＳＵ１０２Ａ−Ｂは、ソネットネットワーク１００のワーキング１０８及びプロテクティング１１０の経路を、イーサネットネットワーク、トークンリングネットワーク等のようなローカルエリアネットワークに接続してもよい。ＬＡＮＳＵの各々は、２つのＬＵに接続される。例えば、ＬＡＮＳＵ１０２ＡはＬＵ１０４Ａ，ＬＵ１０４Ｂに接続され、ＬＡＮＳＵ１０２ＢはＬＵ１０４Ｃ，１０４Ｄに接続される。各回線ユニットは、ＬＡＮＳＵからソネットネットワークへのインターフェースを提供することに加えて、正確なネットワーククロック及びソネットフレームパルス基準にアクセスするタイミング制御を行う。
【００１２】
デュアルワーキングモードでは、ソネットリング１０６の各経路で異なるデータが通信され、この点、同じデータが双方の経路で通信される従来のソネットの動作と異なる。例えば、データ１１４Ａはワーキング経路１０８を通じて通信されるが、データ１１４Ｂはプロテクティング経路１１０を通じて通信される。ＬＡＮ１１２Ａ−Ｂへの／そこからのデータは、周知の仮想連結（ＶＣＡＴ）法を用いて、ワーキング経路１０８及びプロテクティング経路１１０の間で分割される。経路の各々は、完全な経路帯域でデータを搬送してもよく、従って、同一データが双方の経路で通信される従来のソネットの動作に関するネットワーク帯域の２倍を提供する。
【００１３】
デュアルワーキングモードで動作している場合に、ソネットネットワーク１０６の経路の１つに障害（経路の障害又は電子的な障害）が生じると、その旨が受信側に通知され、受信側は、ＬＳＣＡを用いて、ＳＴＳ（又は経路障害の場合はＳＴＳのブロック）がダウンしたことをデータソースに通知する。ＬＣＡＳは、「故障した」ＳＴＳを、ＶＣＡＴグループのアクティブメンバから落とす。経路故障の典型的な筋書きでは、ＳＴＳの半分がダウンし、データレートが半分にカットされる。
【００１４】
図２ａ−ｃにより、ネットワーク要素外の観点からのソネットネットワークのいくつかの動作モードが比較されている。図２ａには、デュアルワーキングモード動作が示されている。ネットワーク要素（ＮＥ）２０１Ａは、ＬＡＮ２０２Ａでデータｉを通信する。ＮＥ２０１Ａは、ワーキング経路２０３Ａ及びプロテクティング経路２０４Ａを含むソネットネットワークでデータを通信する。ワーキング経路２０３条のデータはデータｏであり、プロテクティング経路２０４Ａ上のデータはデータｐである。デュアルワーキングモードでは、データｏ＋ｐ＝データｉであり、ソネットインターフェース２０３Ａ，２０４Ａで通信されるデータの和は、ＬＡＮ２０２Ａで通信される情報に等しい。
【００１５】
図２ｂには、従来の“０：２”の動作モードが示されている。０：２モードでは、ＬＡＮ２０２ＢでＮＥ２０１Ｂにより通信されるデータと同じデータが、双方のソネットインターフェース２０３Ｂ，２０４Ｂに与えられるが、一方の出力にしか現われない。例えば、ワーキング経路２０３Ｂ上のデータｏは、ＬＡＮ２０２Ｂ上のデータｉに等しく（ｏ＝ｉ）、プロテクティング経路２０４Ｂには何らのデータもない（ｐ＝ｏ）。非ＶＣＡＴデータストリームがインターフェースの一方に供給される場合には、デュアルワーキングモードは０：２モードと同様に見える。２つのインターフェースの間でＶＣＡＴが単独のデータストリームを「分散」するために使用される場合は、デュアルワーキングモードは０：２と異なって見える。
【００１６】
図２ｃには、従来の“ＵＰＳＲ”の動作モードが示されている。ＵＰＳＲモードでは、ＬＡＮ２０２Ｃを用いてＮＥ２０１Ｃにより通信されるデータは、双方のソネットインターフェース２０３Ｃ，２０４Ｃに与えられ、双方の出力に現われる。例えば、ワーキング経路２０３Ｃ上のデータｏは、ＬＡＮ２０２Ｃ上のデータｉに等しく（ｏ＝ｉ）、プロテクティング経路２０４Ｃ上のデータｐは、ＬＡＮ２０２Ｃ上のデータに等しく（ｐ＝ｏ）、従って、ｏ＝ｐ＝ｉ  である。
【００１７】
図３ａ−ｂにより、ネットワーク要素内の観点からのソネットネットワークのいくつかの動作モードが比較されている。図３ａでは、０：２及びＵＰＳＲモード用の処理回路が示されている。これらのモードでは、入力プロセス３０２は単にデータを出力プロセス３０４Ａ−Ｂに転送し、出力プロセス３０４Ａ−Ｂは、入力要素３０６からの情報がどの出力要素３０８Ａ−Ｂに割り当てられるかを判別する。
【００１８】
図３ｂには、デュアルワーキングモードの制御処理が示されている。デュアルワーキングモードでは、入力プロセス３０２は、入力要素３０６からの情報が、どの出力要素２￥３０８Ａ−Ｂに割り当てられるかを判別し、出力プロセス３０４Ａ−Ｂは単にデータを転送する。
【００１９】
デュアルワーキングモードでソネットネットワークを動作させるために、ソネットネットワークは、そのように動作するように、構成される或いは用意される必要がある。従来のソネットが用意するモデルは、デュアルワーキングモードのソネットネットワークを用意することをサポートしていない。本発明は、デュアルワーキングモードに必要な経路を与えるために、ソネットネットワークの標準的なＵＰＳＲ供給を「オーバーロード」する。
【００２０】
ソネットネットワークを提供するのに使用される標準的なサービスは、インテリジェントネットワーク要素のオペレーションシステムモディフィケーション（ＯＳＭＩＮＥ）である。ほとんどの国内の通信ネットワークは、テルコーディア（ＴＥＬＣＯＲＤＩＡ）（商標）により開発及び維持されるオペレーションサポートシステム（ＯＳＳ）ソフトウエアに依存する。主要なローカルな交換キャリアは、これらのシステムを用いて彼らのネットワークを管理する。テルコーディアＯＳＭＩＮＥサービスプロセスは、テルコーディアＯＳＳとのネットワーク機器の互換性及び相互運用性（インターオペラビリティ）を可能にすることを支援する。これは、オペレーションシステムのオートメーション、サービスの操作、管理、維持及び提供（ＯＡＭ＆Ｐ）を行う条件を適宜に分量に応じて保証することを支援する。ＯＳＭＩＮＥプロセスの下でデュアルワーキングモードを提供することは重要なので、これも考察される必要がある。
【００２１】
ＯＳＭＩＮＥに対して、デュアルワーキングモードは、非常にＵＰＳＲに類似し、「エンドポイント」のＮＥを除いて全くそのように取り扱うことができる。これらは、イーサーネットインターフェースのホストを務めるＮＥである。これらのＮＥは、ワーキング及びプロテクティング経路で異なる情報を送信する必要があり、反対向きに同じものを受信することを知っている。キーワードを変更することは、ＯＳＭＩＮＥにおける最も簡易な手法である。そのため、イーポート（ＥＰＯＲＴ）コマンドにて新たなキーワードが付加される。このモード（ＭＯＤＥ）キーワードは、デュアルとして指定される場合に、イーサーネットインターフェースに、回線インターフェース双方の間で分割される仮想連結イーサーネットストリームを送信することを通知する。相互接続装備も必要とされる場合には（４０２０以外の総ての４０００ＮＥ）、相互接続は、それらがあたかもＵＰＳＲであるように用意される。しかしながら、システムは、その相互接続が実際にはデュアルワーキングであることを、ＥＰＯＲＴでのモード（ＭＯＤＥ）の先行する入力により知っており、経路セレクタを迂回し、ワーキング及びプロテクティングトラフィック双方をイーサーネットサービスに送ることを知っている。
【００２２】
図４には、ソネットネットワークモードにおけるＵＰＳＲの様子を示す。図４に示される例では、イーサーネットユニットは、ＵＰＳＲを通常行うスイッチと同じＮＥ内にある。これはソネットネットワークの双方の端部における場合が想定されているが、簡単のため、ソネット通信の一方向のみが描かれている。しかしながら、ソネット通信の他の方向も図示の例と同様であることを、当業者は認識するであろう。図示されているように、送信ネットワーク要素（ＮＥ−ＴＸ）４０２は、ワーキング経路４０４及びプロテクティング経路４０６の２つの別々の経路で同じデータを、受信ネットワーク要素（ＮＥ−ＲＣＶ）４０８に送信する。ＮＥ−ＴＸ４０２及びＮＥ−ＲＣＶ４０８の各ＮＥは、ＬＡＮＳＵ及び２つのＬＵを含む。例えば、ＮＥ−ＴＸ４０２はＬＡＮＳＵ４１０及びＬＵ４１２Ａ−Ｂを含み、ＮＥ−ＲＣＶ４０８はＬＡＮＳＵ４１４及びＬＵ４１６Ａ−Ｂを含む。ＬＡＮＳＵ４１０，４１４は、ＬＡＮＳＵ４１０，４１４に接続された他のネットワークと、ソネットネットワークのワーキング４０４及びプロテクション３０６との間のインターフェースを与える。各回線ユニットは、ＬＡＮＳＵからソネットネットワークへのインターフェースを与えることに加えて、正確なネットワーククロック及びソネットフレームパルス基準にアクセスするタイミング制御機能を提供する。
【００２３】
ＵＰＳＲ動作モードでは、同じデータトラフィックがＬＡＮＳＵ４１０からＬＵ４１２Ａ−Ｂの各々へ送信される。このデータトラフィックは、ワーキング経路４０４及びプロテクティング経路４０６上でＬＵ４１６Ａ−Ｂに送信される。ＮＥ−ＲＣＶ４０８では、典型的にはＬＵ４１６ＡのようなＬＵの一方の中で、（ワーキング経路４０４及びプロテクティング経路４０６の中から最良経路セレクタ４１８によって選択される）最良の経路からのデータトラフィックが、ＬＡＮＳＵ４１４に送信される。例えば、ＬＡＮＳＵ４１０が５０Ｍｂｐｓでイーサーネットデータを受信するならば、同じイーサーネットデータが５０Ｍｂｐｓでワーキング経路４０４にて及び５０Ｍｂｐｓでプロテクティング経路４０６にて送信される。最良経路セレクタ４１８は、最良の経路からのデータトラフィックを選択し、ＬＡＮＳＵ４１４は５０Ｍｂｐｓでイーサーネットデータを出力する。
【００２４】
ＵＰＳＲモードに関してＮＥ−ＴＸ４０２及びＮＥ−ＲＣＶ４０８を与えるのに使用されてもよい供給コマンドの例は、次のとおりである：
・ＮＥ−ＴＸにて：
−ＥＮＴ−ＥＰＯＲＴ：＜ＬＡＮ１−Ｐ１＞：ＷＡＮＬＩＮＫ＝ＳＴＳ１
−ＥＮＴ−ＣＲＳ−ＳＴＳ１：＜ＬＡＮ１−Ｐ１＞，＜ＬＵ１−ＳＴＳ１＞
−ＥＮＴ−ＣＲＳ−ＳＴＳ１：＜ＬＡＮ１−Ｐ１＞，＜ＬＵ２−ＳＴＳ１＞
・ＮＥ−ＲＣＶにて：
−ＥＮＴ−ＥＰＯＲＴ：＜ＬＡＮ２−Ｐ１＞：ＷＡＮＬＩＮＫ＝ＳＴＳ１
−ＥＮＴ−ＣＲＳ−ＳＴＳ１：＜ＬＡＮ２−Ｐ１＞，＜ＬＵ１−ＳＴＳ１＞
−ＥＮＴ−ＣＲＳ−ＳＴＳ１：＜ＬＡＮ２−Ｐ１＞，＜ＬＵ２−ＳＴＳ１＞。
【００２５】
デュアルワーキングモードを提供するために、本発明は、ＯＳＭＩＮＥサービスをだまして標準的なＵＰＳＲを設定しているものと思わせ、唯一のキーワード変更は、それがその場合ではないとシステムに通知するようにする。これが機能する理由は、ネットワークの中間部が、デュアルワーキングとＵＰＳＲ仮想リングとの相違を知らないためである。
【００２６】
図５には、ソネットネットワークにおけるデュアルワーキングモード物理接続の例が示されている。図５に示される例では、イーサーネットユニットが、通常的にはＵＰＳＲを行うスイッチと同じＮＥ内にある。これはソネットネットワークの双方の端部における場合を想定しているが、簡単のため、ソネット通信の一方向しか示されていない。しかしながら、ソネット通信の他の方向も例示されるものと同様であることを、当業者は認識するであろう。図示されるように、送信ネットワーク要素（ＮＥ−ＴＸ）５０２は、ワーキング経路５０４及びプロテクティング経路５０６の２つの別々の経路で異なるデータを、受信ネットワーク要素（ＮＥ−ＰＣＶ）５０８に送信する。ＮＥ−ＴＸ５０２及びＮＥ−ＲＣＶ５０８のＮＥ各々は、ＬＡＮＳＵ及び２つのＬＵを含む。例えば、ＮＥ−ＴＸ５０２はＬＡＮＳＵ５１０及びＬＵ５１２Ａ−Ｂを含み、ＮＥ−ＲＣＶ５０８はＬＡＮＳＵ５１４及びＬＵ５１６Ａ−Ｂを含む。ＬＡＮＳＵ５１０，５１４は、ＬＡＮＳＵ５１０，５１４に接続される他のネットワークと、ソネットネットワークのワーキング５０４及びプロテクション５０６の経路との間のインターフェースを与える。回線ユニットの各々は、ＬＡＮＳＵからソネットネットワーク経路へのインターフェースを与えることに加えて、正確なネットワーククロック及びソネットフレームパルス基準にアクセスするタイミング制御機能を提供する。
【００２７】
デュアルワーキング動作モードでは、異なるデータトラフィックが、ＬＡＮＳＵ５１０からＬＵ５１２Ａ−Ｂの各々へ送信される。ＬＡＮＳＵ５１０で受信されたデータトラフィックは、仮想連結を用いて、交互のバイトの２つのデータストリームに分割される。各データストリームは異なる経路で送信される。一方のデータストリームはワーキング経路５０４で、他方のデータストリームはプロテクティング経路５０６で、ＬＵ５１６Ａ−Ｂに送信される。ＮＥ−ＲＣＶ５０８では、経路セレクタ５１８Ａ−Ｂは、各ＬＵに到来する経路を選択するように固定される。従って、経路セレクタ５１８Ａは、ワーキング経路５０４を選択するよう固定され、経路セレクタ５１８Ｂはプロテクティング経路５０６を選択するよう固定される。双方の経路からのデータは、ＶＣＡＴを用いて再結合され、ＬＡＮＳＵ５１４に送信される。例えば、ＬＡＮＳＵ５１０が１００Ｍｂｐｓでイーサーネットデータを受信する場合に、イーサーネットデータの一部分は５０Ｍｂｐｓでワーキング経路５０４で送信され、イーサーネットデータの一部分は５０Ｍｂｐｓでプロテクティング経路５０６で送信される。双方の経路からのデータは、ＶＣＡＴを用いて再結合され、ＬＡＮＳＵ５１４に送信され、ＬＡＮＳＵは１００Ｍｂｐｓでイーサーネットデータを出力する。
【００２８】
デュアルワーキングモードに関するＮＥ−ＴＸ５０２及びＮＥ−ＲＣＶ５０８を提供するのに使用されてもよい供給コマンドの例は、次のとおりである：
・ＮＥ−ＴＸ５０２にて
−ＥＤ−ＥＱＰＴ：＜ＬＡＮ１＞：ＰＡＴＨＰＲＯＴ＝ＤＵＡＬ
−ＥＮＴ−ＥＰＯＲＴ：＜ＬＡＮ１−Ｐ１＞：ＷＡＮＬＩＮＫ＝ＳＴＳ１
−ＥＮＴ−ＣＲＳ−ＳＴＳ１：＜ＬＡＮ１−Ｐ１＞，＜ＬＵ１−ＳＴＳ１＞
−ＥＮＴ−ＣＲＳ−ＳＴＳ１：＜ＬＡＮ１−Ｐ１＞，＜ＬＵ２−ＳＴＳ１＞
・ＮＥ−ＲＣＶ５０８にて
−ＥＤ−ＥＱＰＴ：＜ＬＡＮ２＞：ＰＡＴＨＰＲＯＴ＝ＤＵＡＬ
−ＥＮＴ−ＥＰＯＲＴ：＜ＬＡＮ２−Ｐ１＞：ＷＡＮＬＩＮＫ＝ＳＴＳ１
−ＥＮＴ−ＣＲＳ−ＳＴＳ１：＜ＬＡＮ２−Ｐ１＞，＜ＬＵ１−ＳＴＳ１＞
−ＥＮＴ−ＣＲＳ−ＳＴＳ１：＜ＬＡＮ２−Ｐ１＞，＜ＬＵ２−ＳＴＳ１＞
パスプロット（ＰＡＴＨＰＲＯＴ）パラメータが、デフォルト値の“ＵＰＳＲ”とは異なる新たな値“デュアル（ＤＵＡＬ）”に設定されている点に留意を要する。ＥＤ−ＥＱＰＴコマンドに新たなキーワードを付加することで、本発明は、双方の終端点（エンドポイント）にて同じコマンド構造を使用する。他の総てのノード及びエンドポイントのＴＬ１は、ＵＰＳＲと厳密に同じ供給内容を有する。付加的なキーワードは、ＯＳＭＩＮＥでは無視できる程度の影響しか有しない（ＯＳＭＩＮＥがそれを設定することを要しないように、これはＣＬＩＥ制御デフォルトでもよい。）。
【００２９】
図６は、ソネットネットワークにおけるデュアルワーキングモード接続の完全なソネットリングを例示する。図６に示される例では、ＮＥ−ＴＸ５０２及びＮＥ−ＲＣＶ５０８は、中間ネットワーク要素６０２，６０４，６０６，６０８と共に示されている。
【００３０】
デュアルワーキングモードは、０：ｎサービスの変形として提供されてもよい。この０：ｎ的な供給は、例えば、単独のＳＴＳ１しか使用されていない場合に（ＶＣＡＴは使用されていない）、次のようにして達成されてもよい：
・ＮＥ−ＴＸ５０２にて
−ＥＤ−ＥＱＰＴ：＜ＬＡＮ１＞：ＰＡＴＨＰＲＯＴ＝ＤＵＡＬ
−ＥＮＴ−ＥＰＯＲＴ：＜ＬＡＮ１−Ｐ１＞：ＷＡＮＬＩＮＫ＝ＳＴＳ１
−ＥＮＴ−ＣＲＳ−ＳＴＳ１：＜ＬＡＮ１−Ｐ１＞，＜ＬＵ１−ＳＴＳ１＞
・ＮＥ−ＲＣＶ５０８にて
−ＥＤ−ＥＱＰＴ：＜ＬＡＮ２＞：ＰＡＴＨＰＲＯＴ＝ＤＵＡＬ
−ＥＮＴ−ＥＰＯＲＴ：＜ＬＡＮ２−Ｐ１＞：ＷＡＮＬＩＮＫ＝ＳＴＳ１
−ＥＮＴ−ＣＲＳ−ＳＴＳ１：＜ＬＡＮ２−Ｐ１＞，＜ＬＵ１−ＳＴＳ１＞
唯一の相違は、単独の相互接続しかなされていないことである。これは、０：ｎ及びＵＰＳＲの間と同じ相違である。
【００３１】
デュアルワーキングモードを与える一般的なモデルは、テルコーディアの提供するモデルの拡大集合であり、ワンリンク（ＷＡＮＬＩＮＫ）パラメータを用いて定義されてもよい。ワンリンクは、ソネット経路の各方向に割り当てられるＳＴＳの量を定め、便宜上、それらの経路は東及び西の経路と言及されてもよい。例えば、ＷＡＮＬＩＮＫ＝ＳＴＳ−２Ｖは、東経路に高々２つのＳＴＳ１の割当があり、西経路に高々２つのＳＴＳ１の割当があることを意味する。相互接続は、ＵＰＳＲと又は単独経路と同様でもよい。第１の相互接続がなされる場合に、サービスがなされる。ＬＣＡＳが使用されるならば、付加的な相互接続に関し、最大値に至るまで何らの「ヒット」もない。
【００３２】
図７には、ソネットネットワークにおけるデュアルワーキングモード接続の例が示され、それは非テルコーディアの例であり、周辺ＤＷＭと共に内部で完全に保護されたリングが動作する。図７に示される例では、ＮＥ−ＴＸ７０２は、ワーキング経路レッグ（ｌｅｇ）７０４Ａ−Ｂ及びプロテクティング経路レッグ７０６Ａ−Ｂの２つの別個の経路のレッグ双方で、異なるデータをＮＥ−ＲＣＶ７０８に送信する。ＮＥ−ＴＸ７０２及びＮＥ−ＲＣＶ７０８の各々はＬＡＮＳＵ及び２つのＬＵを含む。例えば、ＮＥ−ＴＸ７０２はＬＡＮＳＵ７１０及びＬＵ７１２Ａ−Ｂを含み、ＮＥ−ＲＣＶ７０８はＬＡＮＳＵ７１４及びＬＵ７１６Ａ−Ｂを含む。ＬＡＮＳＵ７１０，７１４は、ＬＡＮＳＵ７１０，７１４に接続される他のネットワークと、ソネットネットワークのワーキング経路レッグ７０４Ａ−Ｂ及びプロテクティング経路レッグ７０６Ａ−Ｂとの間のインターフェースを提供する。回線ユニットの各々は、ＬＡＮＳＵからソネットネットワーク経路へのインターフェースを提供することに加えて、正確なネットワーククロック及びソネットフレームパルス基準にアクセスするタイミング制御機能も提供する。
【００３３】
デュアルワーキング動作モードでは、異なるデータトラフィックがＬＡＮＳＵ７１０からＬＵ７１２Ａ−Ｂの各々に送信される。ＬＡＮＳＵ７１０で受信されるデータトラフィックは、仮想連結を用いて、交互のバイトの２つのデータストリームに分割される。各データストリームは、ＮＥ−Ｂ７２０のような付加的なネットワーク要素により、異なる経路の双方のレッグ上で送信される。従って、一方のデータストリームはＮＥ−Ｂ７２０のＬＵ１  ７２２Ａによりワーキング経路のレッグ７０４Ａ及びレッグ７０４Ｂ双方で送信され、他方のデータストリームは、ＮＥ−Ｂ７２０のＬＵ２  ７２２Ｂによりプロテクティング経路のレッグ７０６Ａ及びレッグ７０６Ｂ双方で送信される。双方のデータストリームは、ＮＥ−Ｄ７２４のような中間的なネットワーク要素によりＮＥ−ＲＣＶ７０８に送信される。ＮＥ−Ｄ７２４にて、最良経路セレクタ７２６Ａ−Ｂは、各経路の２つのレッグの中から最良の経路を選択する。ＮＥ−Ｄ７２４のＬＵ１  ７２８Ａに含まれる最良経路セレクタ７２６Ａは、プロテクシング経路のレッグ７０６Ａ及びプロテクティング経路のレッグ７０６Ｂの中から最良の経路を選択する。沿うように、ＮＥ−Ｄ７２４のＬＵ２  ７２８Ｂに含まれる最良経路セレクタ７２６Ｂは、ワーキング経路のレッグ７０４Ａ及びワーキング経路のレッグ７０４Ｂの中から最良の経路を選択する。ＮＥ−ＲＣＶ７０８では、経路セレクタ７１８Ａ−Ｂは、各ＬＵに到来する経路を選択するように固定されている。従って、経路セレクタ７１８Ａはワーキング経路７０４を選択するように固定され、経路セレクタ７１８Ｂはプロテクティング経路７０６を選択するように固定される。双方の経路からのデータは、ＶＣＡＴを用いて再結合され、ＬＡＮＳＵ７１４に送信される。例えば、ＬＡＮＳＵ７１０が１００Ｍｂｐｓでイーサーネットデータを受信する場合に、イーサーネットデータの一部分は７０Ｍｂｐｓでワーキング経路７０４上で送信され、イーサーネットデータの一部分は７０Ｍｂｐｓでプロテクティング経路７０６上で送信される。双方の経路からのデータは、ＶＣＡＴを用いて再結合され、ＬＡＮＳＵ７１４に送信され、ＬＡＮＳＵは１００Ｍｂｐｓでイーサーネットデータを出力する。
【００３４】
図８には、ソネットネットワークにおけるデュアルワーキングモード接続の送信例が示され、この例は非テルコーディアの例であり、ＤＷＭＮＥ及び非ＤＷＭＮＥ間のインターフェース（送信）を含む。図８に示される例では、ＮＥ−ＴＸ８０２は、ワーキング経路レッグ８０４Ａ−Ｂ及びプロテクティング経路レッグ８０６Ａ−Ｂの２つの別々の経路のレッグ上で、異なるデータをＮＥ−ＲＣＶ８０８に送信する。ＮＥ−ＴＸ８０２及びＮＥ−ＲＣＶ８０８の各々は、ＬＡＮＳＵ及び２つのＬＵを含む。例えば、ＮＥ−ＴＸ８０２はＬＡＮＳＵ８１０及びＬＵ８１２Ａ−Ｂを含み、ＮＥ−ＲＣＶ８０８はＬＡＮＳＵ８１４及びＬＵ８１６Ａ−Ｂを含む。ＬＡＮＳＵ８１０，８１４は、ＬＡＮＳＵ８１０，８１４に接続される他のネットワークと、ソネットネットワークのワーキング経路レッグ８０４Ａ−Ｂ及びプロテクティング経路レッグ８０６Ａ−Ｂとの間のインターフェースを提供する。回線ユニットの各々は、ＬＡＮＳＵからソネットネットワークへのインターフェースを提供することに加えて、正確なネットワーククロック及びソネットフレームパルス基準にアクセスするタイミング制御機能を提供する。
【００３５】
デュアルワーキング動作モードでは、異なるデータトラフィックがＬＡＮＳＵ８１０からＬＵ８１２Ａ−Ｂ各々に送信される。ＬＡＮＳＵ８１０で受信されたデータトラフィックは、仮想連結を用いて、交互のバイトの２つのデータストリームに分割される。各データストリームは、ＮＥ−Ｂ８２０のような付加的なネットワーク要素を通じて、異なる経路のレッグ双方で送信される。一方のデータストリームは、ワーキング経路のレッグ８０４Ａ及びレッグ８０４Ｂ双方で、ＮＥ−Ｂ８２０のＬＵ１  ８２２Ａにより送信され、他方のデータストリームは、プロテクティング経路のレッグ８０６Ａ及びレッグ８０６Ｂ双方で、ＮＥ−Ｂ８２０のＬＵ２  ８２２Ｂにより送信される。双方のデータストリームは、中間的なネットワーク要素を通じて、ＮＥ−ＲＣＶ８０８に送信される。ＮＥ−ＲＣＶ８０８では、最良経路セレクタ８２６Ａ−Ｂが、各経路の２つのレッグの中から最良の経路を選択する。最良経路セレクタ８２６Ａは、ＮＥ−ＲＣＶ８０８のＬＵ１  ８１６Ａに含まれ、プロテクティング経路のレッグ８０６Ａ及びプロテクティング経路のレッグ８０６Ｂの中から最良の経路を選択する。同様に、最良経路セレクタ８２６Ｂは、ＮＥ−ＲＣＶ８０８のＬＵ１  ８１６Ａに含まれ、ワーキング経路のレッグ８０４Ａ及びワーキング経路のレッグ８０４Ｂの中から最良の経路を選択する。双方の経路からのデータストリームは、ＬＡＮＳＵ８１４に送信され、それらはＶＣＡＴを用いて再結合される。
【００３６】
図９には、ソネットネットワークのデュアルワーキングモードの受信例が示され、その例は非テルコーディアの例であり、ＤＷＭＮＥ及び非ＤＷＭＮＥ間のインターフェース（受信）を含む。図９に示される例では、ＮＥ−ＴＸ９０２は、異なるデータを各経路の一方のレッグでＮＥ−ＲＣＶ９０８に送信する。即ち、ＮＥ−ＴＸ９０２は、一方のデータストリームを、ワーキング経路レッグ９０４Ａ及びプロテクティング経路９０６Ａで送信し、異なるデータストリームをワーキング経路レッグ９０４Ｂ及びプロテクティング経路レッグ９０６Ｂで送信する。ＮＥ−ＴＸ９０２及びＮＥ−ＲＣＶ９０８はそれぞれＬＡＮＳＵ及び２つのＬＵを含む。例えば、ＮＥ−ＴＸ９０２はＬＡＮＳＵ９１０及びＬＵ９１２Ａ−Ｂを含み、ＮＥ−ＲＣＶ９０８はＬＡＮＳＵ９１４及びＬＵ９１６Ａ−Ｂを含む。ＬＡＮＳＵ９１０，９１４は、ＬＡＮＳＵ９１０，９１４に接続された他のネットワークと、ソネットネットワークのワーキング経路レッグ９０４Ａ−Ｂ及びプロテクティング経路レッグ９０６Ａ−Ｂとの間のインターフェースを提供する。回線ユニットの各々は、ＬＡＮＳＵからソネットネットワーク経路へのインターフェースを提供することに加えて、正確なネットワーククロック及びソネットフレームパルス基準にアクセスするタイミング制御機能を提供する。
【００３７】
デュアルワーキング動作モードでは、異なるデータトラフィックがＬＡＮＳＵ９１０から各ＬＵ９１２Ａ−Ｂに送信される。ＬＡＮＳＵ９１０によって受信されたデータトラフィックは、仮想連結を用いて、交互のバイトの２つのデータストリームに分割される。各データストリームは、ＮＥ−ＴＸ９０２のような付加的なネットワーク要素を通じて、双方の経路の一方のレッグで送信される。即ち、一方のデータストリームは、ワーキング経路のレッグ９０４Ａ及びプロテクティング経路のレッグ９０６Ａの双方で、ＮＥ−ＴＸ９０２のＬＵ１  ９１２Ａにより送信され、他方のデータストリームは、ワーキング経路のレッグ９０４Ｂ及びプロテクティング経路のレッグ９０６Ｂの双方で、ＮＥ−ＴＸ９０２のＬＵ２  ９１２Ｂによって送信される。データストリームの双方は、中間的なネットワーク要素を通じてＮＥ−ＲＣＶ９０８に送信される。ＮＥ−ＲＣＶ９０８では、経路セレクタ９２６Ａ−Ｂは、到来する経路を選択するように固定される。双方の経路からのデータストリームは、ＬＡＮＳＵ９１４に送信され、それらはＶＣＡＴを用いて再結合される。
【００３８】
特筆すべき重要なことに、本発明は完全に機能するデータ処理システムに関連して説明されたが、本発明のプロセスは、命令及び様々な形式のコンピュータ読み取り可能な媒体の形式で分散させてもよいこと、及び本発明はその分散を実行するのに実際に使用されるメディアを伝送する特定の信号形式によらず等しく適用できることを、当業者は認識するであろう。コンピュータ読み取り可能な媒体は、フロッピディスク、ハードディスクドライブ、ＲＡＭ及びＣＤ−ＲＯＭのような記録可能なタイプのメディアに加えて、ディジタル及びアナログ通信リンクのような伝送形式のメディアも含む。
【００３９】
以上本発明の特定の実施例が説明されたが、上記の実施例に当かな他の実施例が存在することは、当業者に理解されるであろう。従って、本発明は説明された特定の実施例に限定されず、添付の特許請求の範囲によってのみ限定されることが、理解されるべきである。
【００４０】
以下、本発明による教示される手段を例示的に列挙する。
【００４１】
（付記１）
同期光ネットワーク又は同期ディジタルハイアラーキネットワークでデュアルワーキングモードを設定する方法であって：
前記同期光ネットワーク又は同期ディジタルハイアラーキネットワークにて非デュアルワーキングの動作モードを設定する設定コマンドを生成するステップ；
生成したコマンドを修正し、デュアルワーキングモードが設定されていることを第１のネットワーク要素に示すステップ；及び
設定する修正されたコマンドを、前記同期光ネットワーク又は同期ディジタルハイアラーキネットワークに送信するステップ；
を有することを特徴とする方法。
【００４２】
（付記２）
前記デュアルワーキングモードでは、同期光ネットワーク又は同期ディジタルハイアラーキネットワークの複数経路の各々で異なるデータを前記第１のネットワーク要素と通信する
ことを特徴とする付記１記載の方法。
【００４３】
（付記３）
前記異なるデータは、仮想連結を利用して第２のネットワーク要素で生成される
ことを特徴とする付記２記載の方法。
【００４４】
（付記４）
前記異なるデータは、前記第２のネットワーク要素に接続されたローカルエリアネットワークで通信されるデータストリームから生成される
ことを特徴とする付記３記載の方法。
【００４５】
（付記５）
前記異なるデータは、仮想連結を用いて前記第１のネットワーク要素で再編成される
ことを特徴とする付記４記載の方法。
【００４６】
（付記６）
再編成された異なるデータが、前記第１のネットワーク要素に接続されたローカルエリアネットワークで通信される
ことを特徴とする付記５記載の方法。
【００４７】
（付記７）
前記第１のネットワーク要素が、第１のローカルエリアネットワークサービスユニット及び第１の複数の論理ユニットより成り、
前記第２のネットワーク要素が、第２のローカルエリアネットワークサービスユニット及び第２の複数の論理ユニットより成り、
前記第２のローカルエリアネットワークサービスユニットが第２のローカルエリアネットワークと通信し、前記異なるデータが前記第２のローカルエリアネットワークで通信されるデータストリームから生成され、及び
前記第２の複数の論理ユニットの各々が、異なるデータを、同期光ネットワーク又は同期ディジタルハイアラーキネットワークの異なる経路上で、前記第１の複数の論理ユニットの異なるものと通信する
ことを特徴とする付記２記載の方法。
【００４８】
（付記８）
前記異なるデータは、仮想連結を用いて前記第２のネットワーク要素で生成される
ことを特徴とする付記７記載の方法。
【００４９】
（付記９）
前記第１のローカルエリアネットワークサービスユニットが、第１のローカルエリアネットワークと通信する
ことを特徴とする付記８記載の方法。
【００５０】
（付記１０）
前記異なるデータは、仮想連結を用いて前記第１のネットワーク要素で再編成される
ことを特徴とする付記９記載の方法。
【００５１】
（付記１１）
再編成された異なるデータが、前記第１のローカルエリアネットワークで通信される
ことを特徴とする付記１０記載の方法。
【００５２】
（付記１２）
同期光ネットワーク又は同期ディジタルハイアラーキネットワークでデュアルワーキングモードを設定するシステムであって：
前記同期光ネットワーク又は同期ディジタルハイアラーキネットワークにて非デュアルワーキングの動作モードを設定する設定コマンドを生成する手段；
生成したコマンドを修正し、デュアルワーキングモードが設定されていることを第１のネットワーク要素に示す手段；及び
設定する修正されたコマンドを、前記同期光ネットワーク又は同期ディジタルハイアラーキネットワークに送信する手段；
を有することを特徴とするシステム。
【００５３】
（付記１３）
前記デュアルワーキングモードでは、同期光ネットワーク又は同期ディジタルハイアラーキネットワークの複数経路の各々で異なるデータを前記第１のネットワーク要素と通信する
ことを特徴とする付記１２記載のシステム。
【００５４】
（付記１４）
前記異なるデータは、仮想連結を利用して第２のネットワーク要素で生成される
ことを特徴とする付記１３記載のシステム。
【００５５】
（付記１５）
前記異なるデータは、前記第２のネットワーク要素に接続されたローカルエリアネットワークで通信されるデータストリームから生成される
ことを特徴とする付記１４記載のシステム。
【００５６】
（付記１６）
前記異なるデータは、仮想連結を用いて前記第１のネットワーク要素で再編成される
ことを特徴とする付記１５記載のシステム。
【００５７】
（付記１７）
再編成された異なるデータが、前記第１のネットワーク要素に接続されたローカルエリアネットワークで通信される
ことを特徴とする付１６記載のシステム。
【００５８】
（付記１８）
前記第１のネットワーク要素が、第１のローカルエリアネットワークサービスユニット及び第１の複数の論理ユニットより成り、
前記第２のネットワーク要素が、第２のローカルエリアネットワークサービスユニット及び第２の複数の論理ユニットより成り、
前記第２のローカルエリアネットワークサービスユニットが第２のローカルエリアネットワークと通信し、前記異なるデータが前記第２のローカルエリアネットワークで通信されるデータストリームから生成され、及び
前記第２の複数の論理ユニットの各々が、異なるデータを、同期光ネットワーク又は同期ディジタルハイアラーキネットワークの異なる経路上で、前記第１の複数の論理ユニットの異なるものと通信する
ことを特徴とする付記１３記載のシステム。
【００５９】
（付記１９）
前記異なるデータは、仮想連結を用いて前記第２のネットワーク要素で生成される
ことを特徴とする付記１８記載のシステム。
【００６０】
（付記２０）
前記第１のローカルエリアネットワークサービスユニットが、第１のローカルエリアネットワークと通信する
ことを特徴とする付記１９記載のシステム。
【００６１】
（付記２１）
前記異なるデータは、仮想連結を用いて前記第１のネットワーク要素で再編成される
ことを特徴とする付記２０記載のシステム。
【００６２】
（付記２２）
再編成された異なるデータが、前記第１のローカルエリアネットワークで通信される
ことを特徴とする付記２１記載のシステム。
【図面の簡単な説明】
【００６３】
【図１】デュアルワーキングモードで動作するソネットネットワーク１００の例示的なブロック図である。
【図２ａ】ネットワーク要素外の観点からのデュアルワーキング動作モードを例示する図である。
【図２ｂ】ネットワーク要素外の観点からの“０：２”の動作モードを例示する図である。
【図２ｃ】ネットワーク要素外の観点からの“ＵＰＳＲ”の動作モードを例示する図である。
【図３ａ】ネットワーク要素内の観点からの“０：２”及び“ＵＰＳＲ”の動作モードを例示する図である。
【図３ｂ】ネットワーク要素内の観点からのデュアルワーキング動作モードの制御処理を例示する図である。
【図４】ソネットネットワークでのＵＰＳＲモードの様子を例示するブロック図である。
【図５】ソネットネットワークでのデュアルワーキングモードの様子を例示するブロック図である。
【図６】ソネットネットワークでのデュアルワーキングモード接続の完全なソネットリングを例示するブロック図である。
【図７】ソネットネットワークでのデュアルワーキングモード接続の完全なソネットリングを例示するブロック図である。
【図８】ソネットネットワークでのデュアルワーキングモード接続に関する送信例の完全なソネットリングを例示するブロック図である。
【図９】ソネットネットワークでのデュアルワーキングモード接続に関する送信例の完全なソネットリングを例示するブロック図である。
【符号の説明】
【００６４】
１００  ソネットネットワーク
１０２  ローカルエリアネットワークサービスユニット（ＬＡＮＳＵ）
１０４  回線ユニット（ＬＵ）
１０６  ソネットリング
１０８  ワーキング経路
１１０  プロテクティング経路
１１２  他のネットワーク
１１４  データ
２０１  ネットワーク要素（ＮＥ）
２０２  ＬＡＮ
２０３  ワーキング経路
２０４  プロテクティング経路
３０２  入力処理部
３０４  出力処理部
３０６  入力要素
３０８  出力要素
４０２  ＮＥ−ＴＸ
４０４  ワーキング経路
４０６  プロテクティング経路
４０８  ＮＥ−ＲＣＶ
４１０，４１４  ＬＡＮＳＵ
４１２，４１６  ＬＵ
５０２  送信ネットワーク要素（ＮＥ−ＴＸ）
５０４  ワーキング経路
５０６  プロテクティング経路
５０８  受信ネットワーク要素（ＮＥ−ＲＣＶ）
５１０，５１４  ＬＡＮＳＵ
５１２，５１６  ＬＵ
６０２，６０４，６０６，６０８  中間的なネットワーク要素
７０２  ＮＥ−ＴＸ
７０４  ワーキング経路レッグ
７０６  プロテクティング経路レッグ
７０８  ＮＥ−ＲＣＶ
７１０，７１４  ＬＡＮＳＵ
７１２，７１６，７２２，７２８  ＬＵ
７１８  経路セレクタ
７２０  ＮＥ−Ｂ
７２４  ＮＥ−Ｄ
７２６  最良経路セレクタ
８０２  ＮＥ−ＴＸ
８０４  ワーキング経路レッグ
８０６  プロテクティング経路レッグ
８０８  ＮＥ−ＲＣＶ
８１０，８１４  ＬＡＮＳＵ
８１２，８１６，８２２  ＬＵ
８２０  ＮＥ−Ｂ
８２６  最良経路セレクタ
９０２  ＮＥ−ＴＸ
９０４  ワーキング経路レッグ
９０６  プロテクティング経路レッグ
９０８  ＮＥ−ＲＣＶ
９１０，９１４  ＬＡＮＳＵ
９１２，９１６，９２８  ＬＵ
９２４  ＮＥ−Ｄ
９２６  最良経路セレクタ
【図１】
0004649205.tif 000002
【図２ａ】
0004649205.tif 000003
【図２ｂ】
0004649205.tif 000004
【図２ｃ】
0004649205.tif 000005
【図３ａ】
0004649205.tif 000006
【図３ｂ】
0004649205.tif 000007
【図４】
0004649205.tif 000008
【図５】
0004649205.tif 000009
【図６】
0004649205.tif 000010
【図７】
0004649205.tif 000011
【図８】
0004649205.tif 000012
【図９】
0004649205.tif 000013